(57)【要約】      （修正有）【課題】より簡単な構造を有する新たな装飾品を提供する。【解決手段】装飾品１０は、物品１４に巻き付け可能である長さ寸法を有し、また、折り曲げと折り曲げられた状態から元の状態への復帰とが可能である帯状体１２からなる。帯状体１２は、スリットが設けられた一端部２０とストッパが設けられた他端部２２とを有する。一端部２０のスリットは帯状体１２の他端部２２に向けて凸をなす。また、他端部２２のストッパは折り曲げられた状態にある他端部２２のスリットの通過を許し、通過後に折り曲げ状態から元の状態に復帰した他端部の通過を阻止する。【選択図】図１
0003195703.tif 000002
【実用新案登録請求の範囲】
【請求項１】
物品に巻き付け可能である長さ寸法を有し、また、折り曲げと折り曲げられた状態から元の状態への復帰とが可能である帯状体からなり、
前記帯状体はスリットが設けられた一端部とストッパが設けられた他端部とを有し、
前記一端部のスリットは前記他端部に向けて凸をなし、また、前記他端部のストッパは折り曲げられた状態にある前記他端部の前記スリットの通過を許し、通過後に前記折り曲げ状態から元の状態に復帰した前記他端部の前記スリットの通過を阻止する、装飾品。
【請求項２】
前記スリットは山形の平面形状を有する、請求項１に記載の装飾品。
【請求項３】
前記帯状体は、合成繊維製の一対の細長いシート片と、両シート片間に配置され両シート片を相互に接着するフィルム状の合成樹脂製の接着剤とからなる、請求項１又は２に記載の装飾品。
【請求項４】
各シート片及び前記接着剤は、それぞれ、１４０〜２４０μｍの厚さ寸法及び１０μｍの厚さ寸法を有する、請求項３に記載の装飾品。
【請求項５】
各シート片はポリエステル繊維製の両面サテンからなり、また、前記接着剤はポリエステル製の接着剤からなる、請求項３又は４に記載の装飾品。
【考案の詳細な説明】
【技術分野】
【０００１】
本考案は、贈答品、その包装等からなる物品の装飾に用いられる装飾品に関する。
【背景技術】
【０００２】
従来、ボウと、該ボウの結び目に通された一端部及び前記ボウの結び目に固定された他端部を有するループ状のリボン片とからなる装飾品が提案されている（後記特許文献１参照）。これによれば、贈答品、その包装等からなる物品にその周囲を取り巻くように前記ループ状のリボン片を掛け、該リボン片の一端部を引いて前記ループ状のリボン片を前記物品に巻き付け、さらに前記リボン片が緩まないようにその一端部を前記物品に固定することにより、前記物品に前記ボウを取り付けることができる。
【先行技術文献】
【特許文献】
【０００３】
【特許文献１】実用新案登録第３１４１９６７号
【考案の概要】
【考案が解決しようとする課題】
【０００４】
本考案は、このような従来の装飾品の装飾態様に鑑み、新たな装飾品の提供を目的とする。
【課題を解決するための手段】
【０００５】
本考案に係る装飾品は、物品に巻き付け可能である長さ寸法を有し、また、折り曲げと折り曲げられた状態から元の状態への復帰とが可能である帯状体からなる。前記帯状体はスリットが設けられた一端部とストッパが設けられた他端部とを有する。前記一端部のスリットは前記他端部に向けて凸をなし、また、前記他端部のストッパは折り曲げられた状態にある前記他端部の前記スリットの通過を許し、通過後に前記折り曲げ状態から元の状態に復帰した前記他端部の前記スリットの通過を阻止する。
【０００６】
本考案に係る装飾品は単一の帯状体で構成され、従来の複数の部品からなる装飾品と比べて簡単な構造を有する。前記物品はその周囲に前記帯状体を巻き付けることにより行われる。前記物品への前記帯状体の巻き付けは、前記帯状体を前記物品の周りに掛けたのち、前記帯状体の一端部のスリットにその他端部を折り曲げて通すことにより行うことができる。前記スリットに通された前記他端部は折り曲げられた状態から元の状態に戻り、記ストッパにより前記スリットの通過を阻止される。その結果、前記物品は前記帯状体により緊縛され、前記物品に対する前記帯状体の巻き付け状態が維持される。
【０００７】
本考案によれば、前記帯状体の一端部のスリットは前記帯状体の他端部に向けて凸をなす例えば山形の平面形状を有することから、前記一端部内に前記スリットによる凸状部分が区画される。前記突状部分は前記他端部を前記スリットに通すときに前記一端部内から押し出されるところ、前記他端部が前記スリットを通過した後、前記突状部分をもとの方向へ戻し、さらに反対側へ押し出すことができる。その結果、前記凸状部分を支えとして前記一端部が起き上がる起立状態とすることができる。起立状態に置かれた前記一端部は前記帯状体が発揮する前記物品に対する装飾機能をより高める働きをなす。
【０００８】
前記帯状体は、好ましくは、合成繊維製の一対の細長いシート片と、両シート片間に配置され両シート片を相互に接着するフィルム状の合成樹脂製の接着剤とからなるものとすることができる。これによれば、前記帯状体を単一のシート片で構成する場合と比べてより腰の強い又は高弾性のものとすることができ、これにより、前記突状部分の支えを受けて起立する前記一端部の起立状態をより良好に維持することができる。
【０００９】
前記一端部の起立状態をさらに良好に維持するために、好ましくは、前記帯状体が合成繊維製の一対の細長いシート片と、両シート片間に配置され両シート片を相互に接着する合成樹脂製のフィルム状接着剤とからなるものとし、さらに好ましくは、各シート片の厚さ寸法及び前記フィルム上接着剤の厚さ寸法を、それぞれ、１４０〜２４０μｍ及び１０μｍに設定する。さらに好ましくは、各シート片がポリエステル繊維製の両面サテンからなり、また、前記フィルム状接着剤がポリエステル製の接着剤からなるものとする。前記両面サテンは前記帯状体の装飾性を高める光沢を与え、また、前記ポリエステル製の接着剤は前記帯状体に弾性を付与する。
【図面の簡単な説明】
【００１０】
【図１】物品に巻き付けられ、一端部が起立状態にある帯状体の側面図である。
【図２】帯状体の平面図である。
【図３】帯状体の一端部とそのスリットに通され該一端部に相対する状態にある他端部とを一方向から見た図である。ここにおいて、前記一端部が表わす面は前記帯状体の表面であり、また、前記他端部が表わす面は前記帯状体の裏面である。
【図４】帯状体の一端部とそのスリットに通され該一端部に相対する状態にある他端部とを他方向から見た図である。ここにおいて、前記一端部が表わす面は前記帯状体の裏面であり、また、前記他端部が表わす面は前記帯状体の表面及び裏面である。
【考案を実施するための形態】
【００１１】
図１及び図２を参照すると、本考案に係る装飾品が全体に符号１０で示されている。装飾品１０は帯状体１２からなる。
【００１２】
図１に示すように、装飾品１０を構成する帯状体１２は、贈答品、その包装等からなる物品１４に巻き付けられ、物品１４の装飾に供される。このため、帯状体１２は物品１４に巻き付け可能である長さ寸法、すなわち物品１４の周囲を取り巻きかつこれを緊縛し得る長さ寸法を有する。なお、物品１４に巻き付けられた帯状体１２は、物品１４の表面の全部または一部に接触する状態となるところ、理解上の便宜のため、図１に示すところでは非接触状態で描かれている。
【００１３】
また、帯状体１２はこれを折り曲げることが可能であり、さらに、折り曲げられた状態から元の状態へと復帰し得る性質を有する。このような性質を有する帯状体１２として、図示の例にあっては、合成繊維製の織物からなる一対の細長いシート片１６と、両シート片１６間に配置され両シート片１６を相互に接着するフィルム状の合成樹脂製の接着剤１８とで構成されている。帯状体１２は、図示の例に代えて、例えば、比較的厚い厚さ寸法、あるいは比較的高い弾性を有する織物や合成樹脂製のテープからなる一枚のシート片とすることができる。
【００１４】
各シート片１６及びフィルム状の接着剤１８は、好ましくは、１４０〜２４０μｍの厚さ寸法及び１０μｍの厚さ寸法をそれぞれ有する。このような厚さ寸法とすることにより、帯状体１２に適度な腰の強さ又は弾性を付与することができる。さらに好ましくは、各シート片１６はポリエステル繊維製の両面サテンからなり、また、接着剤１８はポリエステル製の接着剤からなる。前記ポリエステル繊維製の両面サテンは帯状体１２に装飾性の向上に寄与する光沢を与え、また、前記ポリエステル製の接着剤は帯状体１２に弾性を付与する。
【００１５】
両シート片１６は、帯状体１２が発揮する装飾性を考慮して、同一の色彩を有するもの、互いに異なる色彩（例えば赤色及び緑色）を有するもの、任意の模様を有するもの等とすることができる。また、両シート片１６の幅寸法は、装飾対象である物品１４の全体の形状、大きさ等を考慮して定めることができる。
【００１６】
再び図２を参照すると、帯状体１２は一端部２０及び他端部２２と、両端部２０，２２に連なる中間部２４とを有する。
【００１７】
一端部２０は他端部２２に向けて凸をなすスリット２６を有する。スリット２６は一端部２０内の任意の位置に配置することができる。図示の例では、スリット２６は一端部２０と中間部２４との境界近傍に配置されている。また、スリット２６は、図示の例では、他端部２２に向けて山形をなす平面形状を有する。前記山形は、図示のＶ字形、半円形（図示せず）、矩形の四辺の内の三辺からなるハット形（図示せず）等からなるものとすることができる。
【００１８】
また、他端部２２はストッパ２８を有する。他端部２２は、帯状体１２を物品１４に巻き付けるとき、折り曲げられた状態で一端部２０のスリット２６に通される。ここにおいて、ストッパ２８は折り曲げられた状態におかれた他端部２２のスリットの通過を許し、通過後に折り曲げ状態から元の状態に復帰した他端部２２のスリット２６の通過を阻止する。
【００１９】
図示の例にあっては、一端部２０のスリット２６の始端と終端とが帯状体１２を直角に横切る仮想線上にあって前記始端及び終端の相互間隔が他端部２２の幅寸法よりわずかに大きい。また、図示のストッパ２８は、他端部２２の両側縁からその幅方向にそれぞれ張り出す２つの張り出し（便宜上、これらに符号２８を付す。）からなり、両張り出し２８の側縁間の距離がスリット２６の前記始端及び終端間の相互間隔より大きい。
【００２０】
他端部２２は、例えば、これを帯状体１２の軸線に沿って２つ折りにされた状態でスリット２６に通され、挿通後、元の平坦な状態に戻る。他端部２２は、２つの張り出し２８の一端部２０への係止により、スリット２６の通過すなわちスリット２６からの抜け出しが阻止される。その結果、物品１４に対する帯状体１２の巻き付け状態が維持される。
【００２１】
さらに、中間部２４は、図示の例では直線状の２つの側縁を有するところ、これに代えて、例えばそれぞれが波形を呈する２つの側縁を有するもの（図示せず）とすることができる。これにより、帯状体１２が有する装飾性に変化を与えることができる。
【００２２】
本考案にあっては、スリット２６は一端部２０内に凸状部分３０を区画する。このため、帯状体１２の他端部２２を一端部２０のスリット２６に通したとき、突状部分３０が一端部２０内から一方向へ押し出されるところ、これを変形させて押し戻し、さらに一端部２０内から他方向へ押し出すことができる。その結果、突状部分３０が一端部２０をこれが起立するように、すなわち、一端部２０と他端部２２との間に角度αが存する状態となるように、中間部２４上に支える（図１参照）。物品１４に巻き付けられた帯状体１２において、起立した状態の一端部２０は、物品１４に対して立体的な装飾作用をなす。
【００２３】
このとき、図３及び図４に示すように、一端部２０とスリット２２に通された他端部２２とが帯状体１２における裏面１２ｂにおいて互いに対向する。ここにおいて、図３においては、一端部２０が帯状体１２における表面１２ａを表し、他端部２２が帯状体１２における裏面１２ｂを表す。また、図４においては、一端部２０が帯状体１２における裏面１２ｂを表し、他端部２２が帯状体１２における表面１２ａ及び裏面１２ｂを表す。
【００２４】
また、帯状体１２の一端部２０の平面形状は、物品１４の装飾に資する又は寄与する平面形状、例えば図示の例におけるようなハート形とすることができる。
【符号の説明】
【００２５】
１０  装飾品
１２  帯状体
１２ａ、１２ｂ  帯状体の表面及び裏面
１４  物品
１６  シート片
１８  フィルム状の接着剤
２０  帯状体の一端部
２２  帯状体の他端部
２４  帯状体の中間部
２６  スリット
２８  ストッパ
３０  凸状部分
【図１】
0003195703.tif 000003
【図２】
0003195703.tif 000004
【図３】
0003195703.tif 000005
【図４】
0003195703.tif 000006